(57)【要約】【課題】  ネットワークマネージメントシステムの保守者がネットワークエレメント間のリンク接続を簡単に確認できる大規模ネットワークを提供する。【解決手段】  大規模ネットワークにおいて、ネットワークマネージメントシステム(11)はタイマ(8)を備えており、ネットワークエレメントはネットワークマネージメントシステムからネットワークエレメント(12,13)の１つのポートに対してリンクアップ又はリンクダウンの指示を行った後に、リンクアップ又はリンクダウンを指示した時刻からタイマによる所定期間内にリンクアップ又はリンクダウンを指示したポートとは別のポートからリンクアップ又はリンクダウンが完了した旨のメッセージを受信した場合に、指示したポートと、メッセージをネットワークマネージメントシステムに送信したポートとの間が物理的に接続されていると、ネットワークマネージメントシステムの保守者(7)が認識するようにした。【選択図】      図１
2005303924.tif 000002
【特許請求の範囲】
【請求項１】
複数のネットワークエレメントと、複数のネットワークエレメントを管理するネットワークマネジメントシステムを備えたネットワークにおいて、
前記ネットワークエレメントはネットワークマネジメントシステムからの指示により複数ポートの内１つのポートに対して使用不可能状態から使用可能状態に変更するリンクアップ又は使用可能状態から使用不可能状態に変更するリンクダウンを行い、
前記ネットワークマネジメントシステムはネットワークエレメントに対するリンクアップ又はリンクダウンを指示後、管理対象の複数のネットワークエレメントからの応答リンクアップ又は応答リンクダウンのメッセージを監視し、前記リンクアップ又は前記リンクダウンの指示から前後の所定期間内にリンクアップ又はリンクダウンを指示したポートとは別のポートから応答リンクアップ又は応答リンクダウンを受信した場合に、リンクアップ又はリンクダウンを指示したポートと応答リンクアップ又は応答リンクダウンをネットワークマネジメントシステムに送信したポートとの間の物理的接続状態を認識する事を特徴とするネットワーク。
【請求項２】
前記ネットワークマネジメントシステムは、前記ネットワークエレメント間の物理的接続に関するネットワーク構成を予め保持するデータベースと、前記応答リンクアップ又は応答リンクダウンにより認識されたポート間の物理的接続状況と前記データベースに保持されている設定情報が同じかどうか照合する照合手段と、照合結果を前記ネットワークマネジメントシステム上に表示する表示手段とを備えている事を特徴とする、請求項１に記載のネットワーク。
【請求項３】
前記ネットワークエレメントの各々は、対向するネットワークエレメントとの間のインターフェースポートと、前記インターフェースポートに設けられたコネクタ収容の有無を検出するコネクタ収容検出スイッチと、前記コネクタ収容検出スイッチの出力を前記ネットワークマネジメントシステムに通知するスイッチ出力通知手段とを備え、前記ネットワークマネジメントシステムが保持しているネットワーク構成情報に登録されている物理リンクの片方のポートに対してリンクアップ又はリンクダウン指示を行った際、前記所定期間内に前記リンクアップ又は前記リンクダウンを指示したポートとは別のポートから応答リンクアップ又は応答リンクダウンのメッセージを受信しなかった場合に、前記スイッチ出力通知手段の通知内容から前記メッセージを受信しなかった原因を認識する事を可能とする請求項２に記載のネットワーク。
【請求項４】
前記ネットワークエレメント間の物理リンクのケーブル接続の際にネットワークエレメントのポートにケーブルを接続することを契機に自律的に発生するリンクアップのメッセージを前記ネットワークマネジメントシステムで監視する機能を備え、前記ネットワークマネジメントシステムは前記リンクアップメッセージを受信した場合にその時刻の前後の一定期間内に監視対象ネットワークエレメント群の別のポートからリンクアップを受信した場合に、それらの２ポート間が物理的に接続されていること認識する事を特徴とする請求項１に記載のネットワーク。
【請求項５】
前記ネットワークマネジメントシステムが一定期間内にリンクアップ又はリンクダウンを指示したポート以外の２つ以上のポートから応答リンクアップ又は応答リンクダウンのメッセージを受信した場合に、前記ネットワークマネジメントシステムからのリンクアップ又はリンクダウン指示から前後の所定期間内に受信する応答リンクアップ又は応答リンクダウンのメッセージが１つになるまでリンクアップ又はリンクダウン指示を繰り返すことで前記ネットワークエレメント間のリンクの接続を確認するようにした事を特徴とする請求項１から３のいずれか一項に記載のネットワーク。
【発明の詳細な説明】
【技術分野】
【０００１】
本発明はネットワークに関し、特に、大規模ネットワークを構成するネットワークマネージメントシステムの保守者がネットワークマネージメントシステムの配下のネットワークエレメント間の物理リンクの接続確認を容易に行うことを可能にした、ネットワークに関する。
【背景技術】
【０００２】
キャリアネットワーク等の大規模かつ複雑なネットワークは、ネットワークマネージメントシステムとその配下の複数のネットワークエレメントとからなっている。このような大規模ネットワークにおいて、ネットワークエレメント間の物理リンクの接続工事を誤り無く実施するには、詳細な工事図面及び手順書を事前に作成し、細心の注意を払って作業を行うことが要求される。しかしながら、ネットワークエレメントは異なるロケーションに設置されている場合もあり、また、ネットワークエレメント間の接続は大体の場合に於いて１対１では無いため、物理リンクの接続作業を誤り無く完了するには多大な工数を要するのが現実である。
【０００３】
物理リンク接続の従来の確認方法としては、外部に接続したルータ等からPING(Packet InterNet Groper)等のパケットを透過させる事によりネットワークエレメント間の導通を確認する手法が一般に用いられているが、これはパケット送受信用の機器が必要となる上、機器をネットワークエレメントに接続する作業が必要となる。また、ネットワークエレメントとしては、パケットが透過可能となる段階までに各種設定が完了している必要がある。
一方、外部に特別な機器を用意せずにリンク接続を確認する従来の技術として、例えば特許文献１に記載のものがある。この特許文献１に記載の技術は、ネットワークエレメント間で試験対象リンクに対して相互に信号を流し、その結果によりリンク接続を確認するものである。しかし、この特許文献１に記載の技術ではリンクの両端のネットワークエレメントが特許文献１に記載の仕組みを実装する必要があり、汎用性という観点で利用が制限される。
【０００４】
また、メディアコンバータとネットワークエレメントとの間の障害検出に関する従来の技術として、特許文献２があるが、これも特許文献１と同様、リンク両端で特殊なメッセージを送受する方式であり、汎用性という観点で利用が制限される。
【０００５】
【特許文献１】特開平８−３３１１２６
【特許文献２】特開２００２−２６１７６８
【発明の開示】
【発明が解決しようとする課題】
【０００６】
本発明の目的は、上記従来技術における問題に鑑み、ネットワークエレメントを管理するネットワークマネージメントシステムの保守者がネットワークエレメントが配置されている場所に赴くことなく、且つ、リンク両端で特殊なメッセージを送受する必要をなくして、ネットワークエレメント間のリンク接続を簡単に確認できるようにしたネットワークを提供することにある。
【課題を解決するための手段】
【０００７】
上記目的を達成するために、本発明の第１の態様により提供されるものは、ネットワークエレメントはネットワークマネジメントシステムからの指示により複数ポートの内１つのポートに対して使用不可能状態から使用可能状態に変更するリンクアップ又は使用可能状態から使用不可能状態に変更するリンクダウンを行い、ネットワークマネジメントシステムはネットワークエレメントに対するリンクアップ又はリンクダウンを指示後、管理対象の複数のネットワークエレメントからの応答リンクアップ又は応答リンクダウンのメッセージを監視し、リンクアップ又はリンクダウンの指示から前後の所定期間内にリンクアップ又はリンクダウンを指示したポートとは別のポートから応答リンクアップ又は応答リンクダウンを受信した場合に、リンクアップ又はリンクダウンを指示したポートと応答リンクアップ又は応答リンクダウンをネットワークマネジメントシステムに送信したポートとの間の物理的接続状態を認識する事を特徴とするネットワークである。
【０００８】
本発明の第２の態様によれば、上記第１の態様の構成において、ネットワークマネジメントシステムは、ネットワークエレメント間の物理的接続に関するネットワーク構成を予め保持するデータベースと、応答リンクアップ又は応答リンクダウンにより認識されたポート間の物理的接続状況とデータベースに保持されている設定情報が同じかどうか照合する照合手段と、照合結果を前記ネットワークマネジメントシステム上に表示する表示手段とを備えている。
【０００９】
本発明の第３の態様によれば、上記第２の態様の構成において、ネットワークエレメントの各々は、対向するネットワークエレメントとの間のインターフェースポートと、インターフェースポートに設けられたコネクタ収容の有無を検出するコネクタ収容検出スイッチと、コネクタ収容検出スイッチの出力をネットワークマネジメントシステムに通知するスイッチ出力通知手段とを備え、ネットワークマネジメントシステムが保持しているネットワーク構成情報に登録されている物理リンクの片方のポートに対してリンクアップ又はリンクダウン指示を行った際、前記所定期間内に前記リンクアップ又はリンクダウンを指示したポートとは別のポートから応答リンクアップ又は応答リンクダウンのメッセージを受信しなかった場合に、スイッチ出力通知手段の通知内容から前記メッセージを受信しなかった原因を認識する事を可能にした。
【００１０】
本発明の第４の態様によれば、上記第１の態様において、ネットワークエレメント間の物理リンクのケーブル接続の際にネットワークエレメントのポートにケーブルを接続することを契機に自律的に発生するリンクアップのメッセージをネットワークマネジメントシステムで監視する機能を備え、ネットワークマネジメントシステムはリンクアップメッセージを受信した場合にその時刻の前後の一定期間内に監視対象ネットワークエレメント群の別のポートからリンクアップを受信した場合に、それらの２ポート間が物理的に接続されていること認識するようにした。
【００１１】
本発明の第５の態様によれば、上記第１から第３の態様の構成のいずれかにおいて、ネットワークマネジメントシステムが一定期間内にリンクアップ又はリンクダウンを指示したポート以外の２つ以上のポートから応答リンクアップ又は応答リンクダウンのメッセージを受信した場合に、ネットワークマネジメントシステムからのリンクアップ又はリンクダウン指示から前後の所定期間内に受信する応答リンクアップ又は応答リンクダウンのメッセージが１つになるまでリンクアップ又はリンクダウン指示を繰り返すことでネットワークエレメント間のリンクの接続を確認するようにした。
【発明の効果】
【００１２】
本発明の第１の態様により、ネットワークマネージメントシステム配下のネットワークエレメントの任意のポート間の物理接続をネットワークマネージメントシステムの保守者がネットワークエレメントに赴かずに、且つ、特殊な装置を必要とせずに検出することが可能である。
【００１３】
本発明の第２の態様によれば、期待される物理接続と実際の物理接続が合致しているか否かに関する情報をネットワークマネージメントシステムの保守者に通知することが可能となる。
【００１４】
本発明の第３の態様によれば、物理リンクの設置工事実施状況を検知する事が可能になる。即ち、本発明の第３の態様による機構により物理リンクが検出されなかった場合、それが物理リンクの設置工事実施がされていないのか、設置工事済だがリンク上に何らかの障害が存在するのか、を識別することが可能となる。
【００１５】
本発明の第４の態様によれば、ネットワークエレメント側の保守動作に連動して物理リンク検出が動作する点が第１の態様と異なる。これにより、ネットワークエレメント保守者の物理リンク設置工事と連動して即時にマネージメントシステムで物理リンクの状況を把握することができる。
【００１６】
第１〜第３の態様においては、一定期間内に、ネットワークマネージメントシステム配下の２ポート以下のポートからリンクアップ又はリンクダウンに関するメッセージがネットワークマネージメントシステム宛に発送される事を想定しているが、同期間内にリンク工事等が並行して実施されていると３ポート以上のポートからメッセージを受ける可能性がある。しかし、本発明の第５の態様によれば、リンク両端の対向ポートの絞込みが可能になる。
【実施例１】
【００１７】
図１は本発明の第１の実施例による大規模ネットワークの構成を示すブロック図である。同図において、１１はネットワークマネージメントシステム、１２及び１３はネットワークマネージメントシステム１１の配下にあるネットワークエレメントである。大規模ネットワークとしては例えば企業ネットワークや公衆電話網等がある。ネットワークエレメントは図においては説明を簡単にするために２個だけを示してあるが、実際には３つ以上のネットワークエレメントがネットワークマネージメントシステム１１の配下にあってもよい。
【００１８】
ネットワークエレメント１２（NE#A）は１つ以上のカードを搭載しており、各カードには他のネットワークエレメントと接続するための複数のポート#1〜#4が設けられている。また、各カードはポート#1〜#4のそれぞれに対して使用不可能状態から使用可能状態に変更する指令であるリンクアップ又は使用可能状態から使用不可能状態に変更する指令であるリンクダウンの発生を制御するリンクアップ/リンクダウン（LU，UD）制御部１と、リンクアップ又はリンクダウンを検出するリンクアップ/リンクダウン（LU，LD）検出部２と、ネットワークマネージメントシステムと通信をするNMSインターフェース部３と、ネットワークエレメント１２内の試験を行う際に使用されるNE内試験制御部９とを備えている。
ネットワークエレメント１３（NE#B）の構成もネットワークエレメント１２の構成と同様であり、同一の参照番号を付してある。
【００１９】
ネットワークマネージメントシステム１１（NMS）は、保守者７との通信をする保守者インターフェース部４と、試験制御装置５と、ネットワークエレメント１２又は１３と通信するNEインターフェース部６とを備え、更に本発明の実施例により、ネットワークマネージメントシステム１１がリンクアップ/リンクダウンをネットワークエレメントに対して指示してから所定時間を計時するタイマ８を備えている。保守者インターフェース部１１にはキーボードやディスプレイ（図示省略）が設けられている。
【００２０】
図２は図１に示した大規模ネットワークにおける伝送リンクの物理接続検出動作を説明するシーケンス図である。図１及び図２により伝送リンクの物理接続検出動作を説明する。
【００２１】
先ず、ステップＳ２１でネットワークマネージメントシステム１１の保守者７がネットワークエレメント１２（NE#A）の、例えば、カード#1のポート#3の接続ポートを確認する指示をネットワークマネージメントシステム１１に対して行う。
【００２２】
ネットワークマネージメントシステム１１ではステップS２２にて保守者７からの指示を保守者インターフェース４にて受信後、試験制御装置５及びNEインターフェース６を介してネットワークエレメント１１（NE#A）のカード#1のポート#3に対してリンクアップ又はリンクダウンの指示を行う。この際、該当ポートがリンクアップをしている場合、リンクダウン、リンクアップの順で行い、リンクダウンしている場合はリンクアップ、リンクダウンの順で行う。また、該当ポートに指示を出した後にネットワークマネージメントシステム１１内のタイマ８を起動する。
【００２３】
リンクアップ又はリンクダウンの指示を受けたネットワークエレメント１２では、ステップS２３にてNMSインターフェース部３によりネットワークマネージメントシステム１１からの要求を受け付け、ＮＥ内試験制御部９及びリンクアップ/リンクダウン制御部１を介して、カード#1のポート#3にリンクアップ又はリンクダウンを実施する。
【００２４】
リンクアップ/リンクダウン制御部１では、ステップS２３にてこの通知をすることにより、自動的に他のネットワークエレメント、例えばネットワークエレメント１３（NE#B)のカード#3のポート#4に対してリンクアップ又はリンクダウンの指示をする。この指示に応じてステップS２４にてネットワークエレメント１２（NE#A）のカード#3のポート#4がリンクアップ又はリンクダウンする。それをネットワークエレメント１２（NE#A）のリンクアップ/リンクダウン検出部２で検知し、ネットワークエレメント１２（NE#A）のNMSインターフェース部３よりネットワークマネージメントシステム(NMS）１１に通知する。
【００２５】
ネットワークマネージメントシステム(NMS）１１はステップS２５にて、タイマ８の起動中にネットワークマネージメント１１の配下のネットワークエレメント１２以外のネットワークエレメント群の中からリンクアップ又はリンクダウンが完了した旨のメッセージを待機する。ネットワークエレメント１２以外のネットワークエレメント群、例えばネットワークエレメント１３（NE#B）からメッセージをタイマ起動中の所定時間以内に受信した場合に、ステップS２６にてネットワークエレメント１２（NE#A）のカード#1のポート#3とネットワークエレメント１３（NE#B）のカード#3のポート#4とが物理的に接続されていると判断し、ネットワークマネージメントシステム１１の保守者インターフェース部４のディスプレイ上に表示する。
【００２６】
保守者７はステップS２７にてディスプレイ上のその表示を見て、ネットワークエレメント１２（NE#A）のカード#1のポート#3とネットワークエレメント１３（NE#B）のカード#3のポート#4とが接続されていることを確認することができる。
【実施例２】
【００２７】
図３は本発明の第２の実施例による大規模ネットワークの構成を示すブロック図である。同図において、図１と相違するところは、ネットワークマネージメントシステム１１ａがデータベース（DB）３１とデータベースアクセス部３２を更に備えている点である。他の構成は図１と同じなので説明を省略する。
【００２８】
図４は図３に示した大規模ネットワークにおける伝送リンクの物理接続検出動作を説明するシーケンス図である。図３及び図４により伝送リンクの物理接続検出動作を説明する。
【００２９】
ネットワークマネージメントシステム１１ａ内のデータベース（DB）31内には予め接続先の情報が格納されている。
【００３０】
先ず、ステップS４１にてネットワークマネージメントシステム１１の保守者７がネットワークエレメント１２（NE#A）の、例えば、カード#1のポート#3の接続ポートとネットワークエレメント１３（NE#B）の、例えば、カード#3のポート#4の接続ポートを確認する指示をネットワークマネージメントシステム１１に対して行う。
【００３１】
この後のステップS４２〜S４５までの動作は図２で説明したステップS２２〜Ｓ２５と同じなので説明を省略する。図２と異なるのところは、ネットワークマネージメントシステム１１ａにおいて、所定時間内にネットワークエレメント１３(NE#B)からメッセージが受信されると、ポート間が物理的に接続されていると判断して保守者インターフェース部４内のディスプレイに表示するだけではなくて、この第２の実施例により、ステップＳ４６にてデータベース（DB）に格納されている情報と上記ポート間の接続とを照合し、その照合結果も保守者インターフェース部４内のディスプレイに表示する。
【００３２】
これにより、ステップＳ４７にて保守者７はディスプレイ上のその表示を見て、ネットワークエレメント１２（NE#A）のカード#1のポート#3とネットワークエレメント１３（NE#B）のカード#3のポート#4との接続がデータベースに格納されている接続と一致するかどうかもディスプレイ上で点検することができる。これにより、設定情報と実作業の比較を行うことができ、接続ミス、工事未、伝送路障害を事前に予測できる。
【実施例３】
【００３３】
図５は本発明の第３の実施例以降の実施例による大規模ネットワークの構成を示すブロック図である。同図において、図３と相違するところは、ネットワークエレメント１２ａ（NE#A)及びネットワークエレメント１３ｂ(NE#B）がそれぞれ、ポート#1〜#4の近傍に設けられたLED等の表示ランプ５１と、物理リンク接続結果表示部５２を更に備えている点である。他の構成は図３と同じなので説明を省略する。
図６及び図７は図５に示した大規模ネットワークにおける伝送リンクの物理接続検出動作を説明するシーケンス図である。図５、図６及び図７により伝送リンクの物理接続検出動作を説明する。
【００３４】
この第３の実施例においては、第２の実施例において接続ミスか工事未かを確認する。ステップＳ６０１は図４のステップＳ４１と同じである。
ステップＳ６０２では、ネットワークマネージメントシステム(NMS）１１ａ内の保守者インターフェース部４で保守者からの指示を受信し、試験制御装置５でデータベース(DB）３１の内容と保守者からの指示とを照合し、例えば、ネットワークエレメント１３ｂ（NE#B）のカード#3のポート#４が接続先と判明する。
【００３５】
次いでステップＳ６０３にてネットワークエレメント１３ａ（NE＃A）のカード＃１のポート＃３とネットワークエレメント１３ｂ（NE＃B）のカード＃３のポート＃４にコネクタが物理的に接続されているかを、ネットワークエレメント１３ａ（NE#A）及びネットワークエレメント１３ｂ（NE＃B）にそれぞれ問い合わせる。
【００３６】
この問い合わせに対してネットワークエレメント１３ａ（NE＃A）ではステップＳ６０４にて物理リンク接続結果表示部５２経由でコネクタ収容検出スイッチの状態を読み出し、その結果をＮＭＳインターフェース部３経由でネットワークマネージメントシステム（NMS）１１ａに通知する。
【００３７】
同様にこの問い合わせに対してネットワークエレメント１３ｂ（NE＃B）ではステップＳ６０５にて物理リンク接続結果表示部５２経由でコネクタ収容検出スイッチの状態を読み出し、その結果をＮＭＳインターフェース部３経由でネットワークマネージメントシステム（NMS）１１ａに通知する。
【００３８】
ステップＳ６０６では、ネットワークマネージメントシステム１１ａ内でネットワークエレメント１３ａ（NE＃A）及びネットワークエレメント１３ｂ（NE＃B）の両方でコネクタが接続されているかを判定する。
【００３９】
ステップＳ６０６の判定でイエスであれば、ステップＳ６０７〜Ｓ６１２にて、図４のステップＳ４２からＳ４７と同じ動作をする。
ステップＳ６０６の判定がノーであればステップＳ６１３に進み、接続されていない事が検知されたポートについて工事未の表示をネットワークマネージメントシステム（NMS）１１ａ内の保守者インターフェース部４にて行う。これによりステップＳ６１４にて保守者７は工事未完了であることを認知する。
【００４０】
以上のように、この第３の実施例によれば、コネクタの接続状態を調べた後、コネクタが接続されている場合は工事が完了しており、第２の実施例と同様の動作で該当ポートのリンクアップ又はリンクダウンを実施し、対向ポートとの接続を確認し、確認結果をネットワークマネージメントシステムが持つデータベースと比較し、結果を表示する。また、コネクタが接続されていない場合、工事未完了である事を認知できる。
【００４１】
図８はコネクタ収容検出スイッチの概略図であり、ここでは例としてRJ45を挙げているが、GbE等の場合は光ファイバの接続部分に同様のスイッチを設ける。同図において、７１はスイッチ側、７２はコネクタ、７３はケーブル、７４はコネクタ収容検出スイッチである。コネクタ７２をスイッチ側７１に挿入するとコネクタ収容検出スイッチ７３が押されてスイッチがオンになる。また、コネクタ７２をスイッチ側７１から離すとコネクタ収容検出スイッチ７３の押下が解除されてスイッチがオフになる。このスイッチのオン又はオフを接続結果表示部５２が検出する。
【実施例４】
【００４２】
図９は図５に示した大規模ネットワークにおける本発明の第４の実施例による伝送リンクの物理接続検出動作を説明するシーケンス図である。
図９におけるステップS８１〜S８５までは図４におけるステップS４１からＳ４５までの動作と同じなので説明を省略する。ステップＳ８６では、この実施例によりデータベース（DB）３１内のデータとの照合結果をNEインターフェース部６からネットワークエレメント１３ａ（NE＃A）及びネットワークエレメント１３ｂ（NE＃B）に通知する。
【００４３】
ステップＳ８７ではネットワークエレメント１３ａ（NE＃A）の該当物理ポート近傍の表示装置（LED）５１に対して、ネットワークエレメント１３ａ（NE＃A）内の接続結果表示部５２経由で照合結果を表示する。
【００４４】
また。ステップＳ８８ではネットワークエレメント１３ｂ（NE＃B）の該当物理ポート近傍の表示装置（LED）５１に対して、ネットワークエレメント１３ｂ（ＮＥ＃Ｂ）内の接続結果表示部５２経由で照合結果を表示する。
【００４５】
このように、この第４の実施例によれば、データベース内のデータと、接続されているリンクとの照合の結果がネットワークエレメントの表示部に表示されるので、接続ポートが正しいか、接続ミスかをネットワークエレメントの側にいる接続作業者が確認できる。また、接続ミスをした場合に、接続ミスであることを通知し、正しい接続ポートをネットワークエレメントの接続作業者に知らせることができる。
【実施例５】
【００４６】
図１０は図５に示した大規模ネットワークにおける本発明の第５の実施例による伝送リンクの物理接続検出動作を説明するシーケンス図である。
この実施例ではステップＳ９１にてネットワークエレメント１２(NE＃A)の説作業者がネットワークエレメント１２(NE＃A)の、例えばカード#1のポート#3ポートに接続作業時にコネクタを挿入し、リンクアップさせることでネットワークマネージメントシステム(NMS)１１に通知する。
【００４７】
また、ネットワークエレメント１２(NE#A)のポートにコネクタを挿入すると自立的にネットワークエレメント１２(NE#A)からネットワークエレメント１３(NE#B)に対してリンンクアップの指示が発行され、ステップＳ９２にてネットワークエレメント１３(NE#B)の接続作業者がネットワークエレメント１３(NE#B)の、例えばカード#3のポート#4ポートでリンクアップを検出し、ネットワークエレメント１３(NE#B)内のNMSインターフフェース部３を介してネットワークマネージメントシステム(NMS)１１にリンクアップした旨を通知する。
【００４８】
ネットワークマネージメントシステム(NMS)１１ではステップＳ９３にて１つ目のリンクアップの通知を受けるとタイマ８が起動し、タイマ８の設定時間内にNEインターフェース部６はもう一方のリンクアップ通知を受信する事により、それら２ポート間の物理的な接続がなされていることを検出する。
【００４９】
次いでステップＳ９４〜ステップＳ９６にて、図９のステップＳ８６〜ステップＳ８８と同じ動作をして、データベース内のデータと、接続されているリンクとの照合の結果がネットワークエレメントの表示部に表示されるので、接続ポートが正しいか、接続ミスかをネットワークエレメントの側にいる接続作業者が確認できる。また、接続ミスをした場合に、接続ミスであることを通知し、正しい接続ポートをネットワークエレメントの接続作業者に知らせることができる。
【００５０】
また、ネットワークマネージメントシステム(NMS)１１においてはステップＳ９７で、図４のステップS４７と同様に、保守者７はディスプレイ上のその表示を見て、ネットワークエレメント１２（NE#A）のカード#1のポート#3とネットワークエレメント１３（#NEB）のカード#3のポート#4との接続がデータベースに格納されている接続と一致するかどうかもディスプレイ上で点検することができる。これにより、設定情報と実作業の比較を行うことができ、接続ミス、工事未、伝送路障害を事前に予測できる。
【実施例６】
【００５１】
図１１及び図１２は図５に示した大規模ネットワークにおける本発明の第６の実施例による伝送リンクの物理接続検出動作を説明するシーケンス図である。同図において、ステップＳ１０１〜ステップＳ１０４は図９のステップＳ８１〜ステップＳ８４と同じなので説明を省略する。
【００５２】
本実施例では、ステップS１０５にてタイマ８の設定時間内に３つ以上のメッセージを受信したか否かを判定する。３つ以上のメッセージが受信される場合としては、例えば、ステップＳ１０６に示すように、何らかの原因で、例えばネットワークエレメント１２（NE＃A）のカード#1のポート#4に対するリンクアップ又はリンクダウンの指令が偶発的に発生する場合等がある。３つ以上のメッセージが設定時間以内に受信された場合は、設定時間以内のメッセージの数が２以下になるまでステップＳ１０２からステップＳ１０４を繰り返す。
【００５３】
ステップＳ１０５の判定で否となると、図１０のステップＳ９４からステップＳ９７と同じ動作であるステップＳ１０６〜ステップＳ１０９を実行する。
【００５４】
このように、本実施例では、ネットワークマネージメントシステム（NMS）１１が、該当のポートに対してリンクアップ/リンクダウンを行った場合に、該当の対向ポート以外からなんらかの理由で同じメッセージを受信すると、もう一度該当ポートのリンクアップ又はリンクダウンの指示を行い、正しい接続ポートを確認する。
【実施例７】
【００５５】
図１３〜図１５は図５に示した大規模ネットワークにおける本発明の第７の実施例による伝送リンクの物理接続検出動作を説明するシーケンス図である。同図において、ステップＳ１１１及びステップＳ１１２は図１０のステップＳ９１及びステップＳ９２と同じなので説明を省略する。
【００５６】
本実施例においては、図１１のステップＳ１０５と同様に、ネットワークマネージメントシステム(ＮＭＳ)１１ａがステップＳ１１３にて１つ目のリンクアップ又はリンクダウンのメッセージを受信するとタイマ８を起動するが、図１２のステップＳ１０６と同様に、何らかの原因で、例えばネットワークエレメント１２(NE#A)のカード#1のポート#4に対してリンアップ又はリンクダウンの指令が発生した場合に、タイマ８の設定時間内に３つ以上のメッセージを受信する場合もあり得るので、ステップＳ１１４にてタイマ８の設定時間内に３つ以上のメッセージを受信したか否かを判定する。この判定の結果、否であれば図１０のステップＳ９４以降の動作と同じ動作をする。上記判定の結果イエスであればステップＳ１１５に進み、メッセージを受信したポートの中の一つのポートに対してリンクアップ又はリンクダウンの指示を、ネットワークマネージメントシステム(NMS)１１ａ内のタイマ８を再度起動する。
【００５７】
次いで、図１１のステップＳ１０３〜ステップＳ１０５と同じ動作をステップＳ１１６からステップＳ１１８にて繰り返す。即ち、タイマ６の設定時間内に２つ以下のポートからメッセージを受信したと判定されるまで、ステップＳ１１５からステップＳ１１８を繰り返し、イエスになるとステップＳ１１９に進み、ネットワークマネージメントシステム(NMS)１１ａはネットワークエレメント１２（NE＃A）のカード＃１のポート＃３とネットワークエレメント１３（NE＃B）のカード＃３のポート＃４とがリンクアップ又はリンクダウンのメッセージを受信したと判断し、図１０のステップS１０６〜ステップS１０９と同じ動作をステップS１２０〜ステップS１２３により行う。
【００５８】
ネットワークマネージメントシステムが、リンクアップ又はリンクダウンの通知を３つ以上受信した場合に、ネットワークマネージメントシステムでは正しい接続ポートを判断できないが、本実施例により、メッセージを受信したポートの中の一つのポートに対して、リンクダウンとリンクアップを行い、正しい接続ポートを確認することが可能になる。
【実施例８】
【００５９】
図１６〜図１８は図５に示した大規模ネットワークにおける本発明の第８の実施例による伝送リンクの物理接続検出動作を説明するシーケンス図である。同図において、ステップＳ１２４は図１１のステップＳ１０１と同じであり、ステップＳ１２７〜ステップＳ１２９は図１１のステップＳ１０２〜ステップＳ１０５と同じなので説明を省略する。
【００６０】
本実施例ではステップＳ１２４の後にネットワークマネージメントシステム(NMS)１１ａではステップＳ１２５にてリンクアップ又はリンクダウンの監視対象をネットワークマネージメントシステム(NMS)１１ａの配下の全ネットワークエレメント又は全ポートに設定する。
【００６１】
そしてステップＳ１２９にて監視対象ポートについて、設定時間内に３つ以上のポートからメッセージが受信された場合は、ステップＳ１３０に進み、監視対象をメッセージを受信したポートに絞り込んで、ステップＳ１２６からステップＳ１２９を繰り返す。
【００６２】
ステップＳ１２９の判断で監視対象のポートに受信されたメッセージが２つ以下となると、ステップＳ１３１に進み、タイマ８の設定時間内にNEインターフェース部６で、例えば、ネットワークマネージメントシステム（NMS）１１ａ内のカード#1のポート#3とネットワークエレメント１３（NE#B）のカード#3のポート#4がリンクアップ又はリンクダウンメッセージを受信したと判断し、次いで図１０のステップＳ１２０〜ステップＳ１２３と同じ動作をステップＳ１３２〜ステップＳ１３５にて行う。
【００６３】
以上のように、本実施例８においては、ネットワークマネージメントシステムの監視対象の中の３以上のポートからリンクアップ又はリンクダウンのメッセージを受信した場合に、監視対象ポートを前回、リンクアップ/リンクダウンのメッセージを受信したポートのみに限定して、設定時間以内に２つ以下のメッセージを受信するまで、監視対象を絞り込むことにより、接続対象ポートの検出時間の短縮を図った。
（付記１）
複数のネットワークエレメントと、複数のネットワークエレメントを管理するネットワークマネジメントシステムを備えたネットワークにおいて、
前記ネットワークエレメントはネットワークマネジメントシステムからの指示により複数ポートの内１つのポートに対して使用不可能状態から使用可能状態に変更するリンクアップ又は使用可能状態から使用不可能状態に変更するリンクダウンを行い、
前記ネットワークマネジメントシステムはネットワークエレメントに対するリンクアップ又はリンクダウンを指示後、管理対象の複数のネットワークエレメントからの応答リンクアップ又は応答リンクダウンのメッセージを監視し、前記リンクアップ又は前記リンクダウンの指示から前後の所定期間内にリンクアップ又はリンクダウンを指示したポートとは別のポートから応答リンクアップ又は応答リンクダウンを受信した場合に、リンクアップ又はリンクダウンを指示したポートと応答リンクアップ又は応答リンクダウンをネットワークマネジメントシステムに送信したポートとの間の物理的接続状態を認識する事を特徴とするネットワーク。
（付記２）
前記ネットワークマネジメントシステムは、前記ネットワークエレメント間の物理的接続に関するネットワーク構成を予め保持するデータベースと、前記応答リンクアップ又は応答リンクダウンにより認識されたポート間の物理的接続状況と前記データベースに保持されている設定情報が同じかどうか照合する照合手段と、照合結果を前記ネットワークマネジメントシステム上に表示する表示手段とを備えている事を特徴とする、付記１に記載のネットワーク。
（付記３）
前記ネットワークエレメントの各々は、対向するネットワークエレメントとの間のインターフェースポートと、前記インターフェースポートに設けられたコネクタ収容の有無を検出するコネクタ収容検出スイッチと、前記コネクタ収容検出スイッチの出力を前記ネットワークマネジメントシステムに通知するスイッチ出力通知手段とを備え、前記ネットワークマネジメントシステムが保持しているネットワーク構成情報に登録されている物理リンクの片方のポートに対してリンクアップ又はリンクダウン指示を行った際、前記所定期間内に前記リンクアップ又は前記リンクダウンを指示したポートとは別のポートから応答リンクアップ又は応答リンクダウンのメッセージを受信しなかった場合に、前記スイッチ出力通知手段の通知内容から前記メッセージを受信しなかった原因を認識する事を可能とする付記２に記載のネットワーク。
（付記４）前記ネットワークマネージメントシステムで検出した照合結果を、前記ネットワークエレメントに通知し、前記ネットワークエレメント上で照合結果の表示するようにしたことを特徴とする、付記２に記載の大規模ネットワーク。
（付記５）前記ネットワークエレメント間の物理リンクのケーブル接続の際にネットワークエレメントのポートにケーブルを接続することを契機に自律的に発生するリンクアップのメッセージを前記ネットワークマネジメントシステムで監視する機能を備え、前記ネットワークマネジメントシステムは前記リンクアップメッセージを受信した場合にその時刻の前後の一定期間内に監視対象ネットワークエレメント群の別のポートからリンクアップを受信した場合に、それらの２ポート間が物理的に接続されていること認識する事を特徴とする付記１に記載のネットワーク。
（付記６）前記ネットワークマネージメントシステムで前記ネットワークエレメント間の物理接続に関するネットワーク構成を予め保持している場合、ネットワークマネージメントシステムで検知した物理接続と保持している設定情報が同じかどうか照合し、照合結果をネットワークマネージメントシステム上に表示するようにしたことを特徴とする、付記５に記載の大規模ネットワーク。
（付記７）前記ネットワークマネージメントシステムで検出した照合結果を前記ネットワークエレメントに通知し、前記ネットワークエレメント上で照合結果の表示をするようにしたことを特徴とする、付記５に記載の大規模ネットワーク。
（付記８）前記ネットワークマネジメントシステムが一定期間内にリンクアップ又はリンクダウンを指示したポート以外の２つ以上のポートから応答リンクアップ又は応答リンクダウンのメッセージを受信した場合に、前記ネットワークマネジメントシステムからのリンクアップ又はリンクダウン指示から前後の所定期間内に受信する応答リンクアップ又は応答リンクダウンのメッセージが１つになるまでリンクアップ又はリンクダウン指示を繰り返すことで前記ネットワークエレメント間のリンクの接続を確認するようにした事を特徴とする付記１から３のいずれか１項に記載のネットワーク。
（付記９）前記ネットワークマネージメントシステムが一定期間内に３つ以上のポートからリンクアップ又はダウンのメッセージを受信した場合に、リンクアップ又はダウンのメッセージを発出したポートのうちのどれか一つを選択し、選択したポートに対するリンクアップ又はダウン指示を、一定期間内に受信するリンクアップ／ダウンのメッセージが１つになるまでネットワークマネージメントシステムから繰り返すことで、リンクの接続を確認することを特徴とする、付記１から４のいずれか一項に記載の大規模ネットワーク。
（付記１０）前記ネットワークエレメントからのリンクアップ又はダウンメッセージの監視対象ポートを前回監視期間に受信したポート群に限定することで監視対象の絞込みを行い、リンクアップ又はダウン指示の繰返し回数を削減する事を可能とする、付記５から７のいずれか一項に記載の大規模ネットワーク。
【産業上の利用可能性】
【００６４】
本発明により、大規模ネットワークにおけるネットワークエレメント間の物理接続の確認を簡便かつ迅速に行う事が可能となる。
なお、本発明では試験リンク両端のネットワークエレメントに対し、IEEEで規定された汎用的なイーサネット（登録商標）リンクのリンク接続手順を実施し、その結果をネットワークマネージメントシステムで監視・判断することによりリンクの接続性を確認する。 IEEEのリンク接続手順は汎用の機器で利用可能であるため、汎用機器とそれを管理するネットワークマネージメントシステムという一般的なネットワーク構成に於いて、本発明を適用する事ができる。
【図面の簡単な説明】
【００６５】
【図１】本発明の第１の実施例による大規模ネットワークの構成を示すブロック図である。
【図２】図１に示した大規模ネットワークにおける伝送リンクの物理接続検出動作を説明するシーケンス図である。
【図３】本発明の第２の実施例による大規模ネットワークの構成を示すブロック図である。
【図４】図３に示した大規模ネットワークにおける伝送リンクの物理接続検出動作を説明するシーケンス図である。
【図５】本発明の第３の実施例による大規模ネットワークの構成を示すブロック図である。
【図６】図５に示した大規模ネットワークにおける伝送リンクの物理接続検出動作の一部を説明するシーケンス図である。
【図７】図６に続くシーケンス図である。
【図８】コネクタ収容検出スイッチの概略図である。
【図９】図５に示した大規模ネットワークにおける本発明の第４の実施例による伝送リンクの物理接続検出動作を説明するシーケンス図である。
【図１０】図５に示した大規模ネットワークにおける本発明の第５の実施例による伝送リンクの物理接続検出動作を説明するシーケンス図である。
【図１１】図５に示した大規模ネットワークにおける本発明の第６の実施例による伝送リンクの物理接続検出動作の一部を説明するシーケンス図である。
【図１２】図１１に続くシーケンス図である。
【図１３】図５に示した大規模ネットワークにおける本発明の第７の実施例による伝送リンクの物理接続検出動作の一部を説明するシーケンス図である。
【図１４】図１３に続くシーケンス図である。
【図１５】図１４に続くシーケンス図である。
【図１６】図５に示した大規模ネットワークにおける本発明の第８の実施例による伝送リンクの物理接続検出動作の一部を説明するシーケンス図である。
【図１７】図１６に続くシーケンス図である。
【図１８】図１７に続くシーケンス図である。
【符号の説明】
【００６６】
１…リンクアップ/リンクダウン制御部
２…リンクアップ/リンクダウン検出部
３…ＮＭＳインターフェース部
４…保守者インターフェース部
５…試験制御装置
６…ＮＥインターフェース部
７…保守者
８…タイマ
９…ＮＥ内試験制御部
１１、１１ａ…ネットワークマネージメントシステム
１２、１３…ネットワークエレメント
３１…データベース
３２…データベースアクセス部
７１…スイッチ側
７２…コネクタ
７３…ケーブル
７４…コネクタ収容検出スイッチ
【図１】
2005303924.tif 000003
【図２】
2005303924.tif 000004
【図３】
2005303924.tif 000005
【図４】
2005303924.tif 000006
【図５】
2005303924.tif 000007
【図６】
2005303924.tif 000008
【図７】
2005303924.tif 000009
【図８】
2005303924.tif 000010
【図９】
2005303924.tif 000011
【図１０】
2005303924.tif 000012
【図１１】
2005303924.tif 000013
【図１２】
2005303924.tif 000014
【図１３】
2005303924.tif 000015
【図１４】
2005303924.tif 000016
【図１５】
2005303924.tif 000017
【図１６】
2005303924.tif 000018
【図１７】
2005303924.tif 000019
【図１８】
2005303924.tif 000020